(57)【要約】【課題】光学性能が良好でコンパクトなズームレンズ系を提供する。【解決手段】本発明に係るズームレンズ系は、第１レンズ群に回折素子及び正レンズ素子を含み、第１レンズ群に含まれる正レンズ素子が、以下の条件を満足する硝材で構成される。    ２５＜（ｆT／Ｈmax）×Ｎave＜５０    （ただし、Ｎave＝Σ（Ｎi×φi）／Σφi）    ０．０８＜１Ｇtotal／ＬＤＴW＜０．１５（ｆT：望遠端におけるズームレンズ全系の焦点距離、Ｈmax：最大像高、Ｎave：第１レンズ群を構成する正レンズ素子の屈折率の加重平均値、Ｎi：第１レンズ群を構成するｉ番目の正レンズ素子の屈折率、φi：第１レンズ群を構成するｉ番目の正レンズ素子のパワー、ＬＤＴW：広角端におけるレンズ第１面からレンズ最終面までの総厚、１Ｇtotal：レンズ第１面から第１レンズ群を構成するレンズの最終面までの総厚）【選択図】図１
2011090099.tif 000002
【特許請求の範囲】
【請求項１】
第１レンズ群に回折素子及び正レンズ素子を含むズームレンズ系であって、
前記第１レンズ群に含まれる正レンズ素子が、以下の条件を満足する硝材で構成されることを特徴とする、ズームレンズ系：
２５＜（ｆT／Ｈmax）×Ｎave＜５０  ・・・（１）
（ただし、Ｎave＝Σ（Ｎi×φi）／Σφi）
０．０８＜１Ｇtotal／ＬＤＴW＜０．１５    ・・・（２）
ここで、
ｆT：望遠端におけるズームレンズ全系の焦点距離、
Ｈmax：最大像高、
Ｎave：第１レンズ群を構成する正レンズ素子の屈折率の加重平均値、
Ｎi：第１レンズ群を構成するｉ番目の正レンズ素子の屈折率、
φi：第１レンズ群を構成するｉ番目の正レンズ素子のパワー、
（ただし、正レンズ素子が回折レンズ素子の場合には、回折成分を除いたパワーとする）
ＬＤＴW：広角端におけるレンズ第１面からレンズ最終面までの総厚、
１Ｇtotal：レンズ第１面から第１レンズ群を構成するレンズの最終面までの総厚
である。
【請求項２】
第１レンズ群に回折素子及び正レンズ素子を含むズームレンズ系であって、
前記第１レンズ群に含まれる正レンズ素子が、以下の条件を満足する硝材で構成されることを特徴とする、ズームレンズ系：
０．０８＜１Ｇtotal／ＬＤＴW＜０．１５    ・・・（２）
０．２５＜（ｆT／Ｈmax）×（１／ｖｄave）＜１    ・・・（３）
（ただし、ｖｄave＝Σ（ｖｄi×φi）／Σφi）
ここで、
ＬＤＴW：広角端におけるレンズ第１面からレンズ最終面までの総厚、
１Ｇtotal：レンズ第１面から第１レンズ群を構成するレンズの最終面までの総厚、
ｆT：望遠端におけるズームレンズ全系の焦点距離、
Ｈmax：最大像高、
ｖｄave：第１レンズ群を構成する正レンズ素子のアッベ数の加重平均値、
ｖｄi：第１レンズ群を構成するｉ番目の正レンズ素子の屈折率、
Φi：第１レンズ群を構成するｉ番目の正レンズ素子のパワー
（ただし、正レンズ素子が回折レンズ素子の場合には、回折成分を除いたパワーとする）
である。
【請求項３】
以下の条件を満足する、請求項１または２に記載のズームレンズ系：
１＜ＬＤＴW／ｆW＜６    ・・・（４）
ここで、
ＬＤＴW：広角端におけるレンズ総厚、
ｆW：広角端におけるズームレンズ全系の焦点距離
である。
【請求項４】
以下の条件を満足する、請求項１または２に記載のズームレンズ系：
０．２０＜（ｆW／Ｈmax）＜０．２７    ・・・（５）
ここで、
ｆW：広角端におけるズームレンズ全系の焦点距離、
Ｈmax：最大像高
である。
【請求項５】
広角端から望遠端にかけてのズーミングに際して、前記第１レンズ群が物体側へ移動することを特徴とする、請求項１または２に記載のズームレンズ系。
【請求項６】
請求項１または２に記載のズームレンズ系と、
前記ズームレンズ系が形成する光学像を受光して、電気的な画像信号に変換する撮像センサを含むカメラ本体と接続されるカメラマウント部とを備える、交換レンズ装置。
【請求項７】
請求項１または２に記載のズームレンズ系を含む交換レンズ装置と、
前記交換レンズ装置とカメラマウント部を介して着脱可能に接続され、前記ズームレンズ系が形成する光学像を受光して、電気的な画像信号に変換する撮像センサを含むカメラ本体とを備える、カメラシステム。
【発明の詳細な説明】
【技術分野】
【０００１】
本発明は、ズームレンズ系、より詳しくは、レンズ交換式デジタルカメラシステムの交換レンズ装置に用いられるズームレンズ系に関する。また、本発明は、上記ズームレンズ系を内蔵した交換レンズ装置及びカメラシステムに関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などの撮像素子を有するカメラ本体と、カメラ本体に着脱自在に取り付けられた交換レンズ装置とを備えたレンズ交換式デジタルカメラシステム（以下、単に「カメラシステム」ともいう）が人気を博している。このようなカメラシステム用の交換レンズ装置として、光学像を変倍可能に形成できるズームレンズ系を搭載したものがある。
【先行技術文献】
【特許文献】
【０００３】
【特許文献１】特開２００３−２１５４５７号公報
【特許文献２】特開２００４−１２６３９６号公報
【特許文献３】特開２００４−３１７８６７号公報
【特許文献４】特開２００５−２１５３８９号公報
【特許文献５】特開２００５−３５２０５７号公報
【特許文献６】特開２００６−１７１６２８号公報
【特許文献７】特開２００８−１５１８４６号公報
【特許文献８】特開２００８−２０９８６６号公報
【特許文献９】特開平１１−１３３３０５号公報
【特許文献１０】特開平１１−２７１５１４号公報
【特許文献１１】特開平１１−３０５１２６号公報
【発明の概要】
【発明が解決しようとする課題】
【０００４】
ズームレンズ系のうち、特に、望遠のズームレンズ系は、望遠端の焦点距離が長いことから、光学全長（最も物体側のレンズ面の頂点から像面までの距離）が長くなりやすい。特に、第１レンズ群を構成するレンズ素子の屈折率が低い望遠ズームレンズ系は小型とは言えない。
【０００５】
携帯性やハンドリングし易さの面から交換レンズ装置は可能な限りコンパクトであることが好ましく、そのためには、搭載されるズームレンズ系の光学全長を短くすることが必要となる。
【０００６】
それ故に、本発明は、光学性能が良好でコンパクトなズームレンズ系、ズームレンズ系を有するレンズ鏡筒及びカメラシステムを提供することを目的とする。
【課題を解決するための手段】
【０００７】
本発明に係るズームレンズ系は、第１レンズ群に回折型レンズ素子を用いることで、第１レンズ群を構成する正レンズ素子の屈折率を向上させ、光学系全体のコンパクト化を達成する。
【０００８】
より具体的には、本発明に係るズームレンズ系は、第１レンズ群に回折素子及び正レンズ素子を含む。第１レンズ群に含まれる正レンズ素子は、以下の条件を満足する硝材で構成される。
２５＜（ｆT／Ｈmax）×Ｎave＜５０  ・・・（１）
（ただし、Ｎave＝Σ（Ｎi×φi）／Σφi）
０．０８＜１Ｇtotal／ＬＤＴW＜０．１５    ・・・（２）
ここで、
ｆT：望遠端におけるズームレンズ全系の焦点距離、
Ｈmax：最大像高、
Ｎave：第１レンズ群を構成する正レンズ素子の屈折率の加重平均値、
Ｎi：第１レンズ群を構成するｉ番目の正レンズ素子の屈折率、
φi：第１レンズ群を構成するｉ番目の正レンズ素子のパワー、
（ただし、正レンズ素子が回折レンズ素子の場合には、回折成分を除いたパワーとする）ＬＤＴW：広角端におけるレンズ第１面からレンズ最終面までの総厚、
１Ｇtotal：レンズ第１面から第１レンズ群を構成するレンズの最終面までの総厚
である。
【０００９】
あるいは、第１レンズ群に含まれる正レンズ素子は、以下の条件を満足する硝材で構成しても良い。
０．０８＜１Ｇtotal／ＬＤＴW＜０．１５    ・・・（２）
０．２５＜（ｆT／Ｈmax）×（１／ｖｄave）＜１    ・・・（３）
（ただし、ｖｄave＝Σ（ｖｄi×φi）／Σφi）
ここで、
ＬＤＴW：広角端におけるレンズ第１面からレンズ最終面までの総厚、
１Ｇtotal：レンズ第１面から第１レンズ群を構成するレンズの最終面までの総厚、
ｆT：望遠端におけるズームレンズ全系の焦点距離、
Ｈmax：最大像高、
ｖｄave：第１レンズ群を構成する正レンズ素子のアッベ数の加重平均値、
ｖｄi：第１レンズ群を構成するｉ番目の正レンズ素子の屈折率、
Φi：第１レンズ群を構成するｉ番目の正レンズ素子のパワー
（ただし、正レンズ素子が回折レンズ素子の場合には、回折成分を除いたパワーとする）である。
【００１０】
また、本発明に係る交換レンズ装置は、上記のズームレンズ系と、ズームレンズ系が形成する光学像を受光して、電気的な画像信号に変換する撮像センサを含むカメラ本体と接続されるカメラマウント部とを備える。
【００１１】
更に、本発明に係るカメラシステムは、上記のズームレンズ系を含む交換レンズ装置と、交換レンズ装置とカメラマウント部を介して着脱可能に接続され、ズームレンズ系が形成する光学像を受光して、電気的な画像信号に変換する撮像センサを含むカメラ本体とを備える。
【発明の効果】
【００１２】
本発明によれば、光学性能が良好でコンパクトなズームレンズ系、ズームレンズ系を有するレンズ鏡筒及びカメラシステムを実現できる。
【図面の簡単な説明】
【００１３】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】複合型回折光学素子の断面構造の一部を示す模式図
【図２０】実施の形態７に係るカメラシステムのブロック図
【発明を実施するための形態】
【００１４】
図１、４、７、１０、１３、１６は、それぞれ、実施の形態１、２、３、４、５、６に係るズームレンズ系のレンズ配置図であり、いずれも無限遠合焦状態にあるズームレンズ系を表している。
【００１５】
各図において、（ａ）図は広角端（最短焦点距離状態：焦点距離ｆW）のレンズ構成、（ｂ）図は、中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。更に各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１６】
図１、４、７、１０、１３、１６において、特定の面に付されたアスタリスク＊は、該面が非球面であることを示している。また各図において、各レンズ群の符号に付された記号（＋）及び記号（−）は、各レンズ群のパワーの符号に対応する。更に各図において、最も右側に記載された直線は、像面Ｓの位置を表す。更に各図において、隣接するレンズ素子間に記載された直線は、開口絞りＡの位置を表す。
【００１７】
（実施の形態１）
実施の形態１に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５と、正のパワーを有する第６レンズ群Ｇ６とを備える。
【００１８】
第１レンズ群Ｇ１は、物体側から像側へと順に、物面側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第３レンズ素子Ｌ３は、物体側面に回折構造Ｐが設けられた複合型回折光学素子である。
【００１９】
第２レンズ群Ｇ２は、物体側から像側へと順に、両凹形状の第４レンズ素子Ｌ４と、両凸形状の第５レンズ素子Ｌ５とからなる。
【００２０】
第３レンズ群Ｇ３は、物体側から像側へと順に、像側に凸面を向けた正メニスカス形状の第６レンズ素子Ｌ６と、両凹形状の第７レンズ素子Ｌ７とからなる。
【００２１】
第４レンズ群Ｇ４は、物体側から像側へと順に、両凸形状の第８レンズ素子Ｌ８と、両凸形状の第９レンズ素子Ｌ９と、両凸形状の第１０レンズ素子Ｌ１０と、両凹形状の第１１レンズ素子Ｌ１１とからなる。第１０レンズ素子Ｌ１０と第１１レンズ素子Ｌ１１とは、互いに接合されている。
【００２２】
第５レンズ群Ｇ５は、物体側に凸面を向けた負メニスカス形状の第１２レンズ素子Ｌ１２からなる。
【００２３】
第６レンズ群Ｇ６は、物体側から像側へと順に、両凸形状の第１３レンズ素子Ｌ１３と、両凹形状の第１４レンズ素子Ｌ１４とからなる。
【００２４】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で短く、第３レンズ群Ｇ３と第４レンズ群Ｇ４との空気間隔が広角端より望遠端で短く、第４レンズ群Ｇ４と第５レンズ群Ｇ５との空気間隔が広角端より望遠端で短く、第５レンズ群Ｇ５と第６レンズ群Ｇ６との空気間隔が広角端より望遠端で長くなるように、各レンズ群が光軸に沿って移動する。より詳細には、広角端から望遠端へのズーミングに際して、第１レンズ群Ｇ１は光軸に沿って物体側に移動し、第２レンズ群は光軸に沿って像側に移動した後に物体側に移動し、第３レンズ群Ｇ３、第４レンズ群Ｇ４、第５レンズ群Ｇ５及び第６レンズ群Ｇ６は光軸に沿って物体側に移動する。開口絞りＡは、第３レンズ群Ｇ３と共に物体側に移動する。
【００２５】
また、無限遠合焦状態から近接合焦状態へのフォーカシングに際して、第５レンズ群Ｇ５が光軸に沿って像側へと移動する。
【００２６】
更に、系全体に加わる振動に起因する像ぶれを補正するために、第３レンズ群Ｇ３が光軸と直交する方向に移動する。
【００２７】
（実施の形態２）
実施の形態２に係るズームレンズ系は、物体側から像側へと順に、正のパワーを有する第１レンズ群Ｇ１と、負のパワーを有する第２レンズ群Ｇ２と、負のパワーを有する第３レンズ群Ｇ３と、正のパワーを有する第４レンズ群Ｇ４と、負のパワーを有する第５レンズ群Ｇ５とを備える。
【００２８】
第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。第３レンズ素子Ｌ３は、物体側面に回折構造Ｐが設けられた複合型回折光学素子である。
【００２９】
第２レンズ群Ｇ２は、物体側から像側へと順に、両凹形状の第４レンズ素子Ｌ４と、両凸形状の第５レンズ素子Ｌ５とからなる。
【００３０】
第３レンズ群Ｇ３は、物体側から像側へと順に、像側に凸面を向けた正メニスカス形状の第６レンズ素子Ｌ６と、両凹形状の第７レンズ素子Ｌ７とからなる。
【００３１】
第４レンズ群Ｇ４は、物体側から像側へと順に、両凸形状の第８レンズ素子Ｌ８と、両凸形状の第９レンズ素子Ｌ９と、両凸形状の第１０レンズ素子Ｌ１０と、両凹形状の第１１レンズ素子Ｌ１１とからなる。第１０レンズ素子Ｌ１０と第１１レンズ素子Ｌ１１とは、互いに接合されている。
【００３２】
第５レンズ群Ｇ５は、物体側から像側へと順に、物体側に凸面を向けた負メニスカス形状の第１２レンズ素子Ｌ１２と、両凸形状の第１３レンズ素子Ｌ１３と、両凹形状の第１４レンズ素子Ｌ１４とからなる。
【００３３】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で短く、第３レンズ群Ｇ３と第４レンズ群Ｇ４との空気間隔が広角端より望遠端で短く、第４レンズ群Ｇ４と第５レンズ群Ｇ５との空気間隔が広角端より望遠端で短くなるように、各レンズ群が光軸に沿って移動する。より詳細には、第１レンズ群Ｇ１は光軸に沿って物体側に移動し、第２レンズ群Ｇ２は光軸に沿って像側に移動した後に物体側に移動し、第３レンズ群Ｇ３、第４レンズ群Ｇ４及び第５レンズ群Ｇ５は光軸に沿って物体側へと移動する。開口絞りＡは、第３レンズ群Ｇ３と共に物体側に移動する。
【００３４】
また、無限遠合焦状態から近接合焦状態へのフォーカシングに際して、第１レンズ群Ｇ１が光軸に沿って物体側に移動する。
【００３５】
更に、系全体に加わる振動に起因する像ぶれを補正するために、第３レンズ群Ｇ３が光軸と直交する方向に移動する。
【００３６】
（実施の形態３）
実施の形態３に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５とを備える。
【００３７】
第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、両凸形状の第３レンズ素子Ｌ３とを備える。第２レンズ素子Ｌ２は、像側面に複合型回折構造Ｐが設けられた回折光学素子である。また、第１レンズ素子Ｌ１と第２レンズ素子とは、互いに接合されている。
【００３８】
第２レンズ群Ｇ２は、物体側から像側へと順に、両凹形状の第４レンズ素子Ｌ４と、物体側に凸面を向けた正メニスカス形状の第５レンズ素子Ｌ５と、両凹形状の第６レンズ素子Ｌ６とからなる。第４レンズ素子Ｌ４と第５レンズ素子とは、互いに接合されている。
【００３９】
第３レンズ群Ｇ３は、物体側から像側へと順に、両凸形状の第７レンズ素子Ｌ７と、両凸形状の第８レンズ素子Ｌ８と、像側に凸面を向けた負メニスカス形状の第９レンズ素子Ｌ９と、物体側に凸面を向けた正メニスカス形状の第１０レンズ素子Ｌ１０とからなる。
【００４０】
第４レンズ群Ｇ４は、物体側から像側へと順に、両凸形状の第１１レンズ素子Ｌ１１と、像側に凸面を向けた負メニスカス形状の第１２レンズ素子Ｌ１２と、両凸形状の第１３レンズ素子Ｌ１３と、両凹形状の第１４レンズ素子Ｌ１４とからなる。第１３レンズ素子Ｌ１３と第１４レンズ素子Ｌ１４とは、互いに接合されている。尚、第１１レンズ素子Ｌ１１と第１２レンズ素子Ｌ１２とはサブレンズ群Ｇ４ａを構成し、第１３レンズ素子Ｌ１３と第１４レンズ素子Ｌ１４とはサブレンズ群Ｇ４ｂを構成する。
【００４１】
第５レンズ群Ｇ５は、物体側から像側へと順に、両凸形状の第１５レンズ素子Ｌ１５と、像側に凸面を向けた負メニスカス形状の第１６レンズ素子Ｌ１６とからなる。
【００４２】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で短く、第３レンズ群Ｇ３と第４レンズ群Ｇ４との空気間隔はほぼ変化せず、第４レンズ群Ｇ４と第５レンズ群Ｇ５との空気間隔が減少するように各レンズが光軸に沿って移動する。より詳細には、広角端から望遠端へのズーミングに際して、第１レンズ群Ｇ１は光軸に沿って物体側に移動し、第２レンズ群Ｇ２は物体側に移動した後に像側に移動し、第３レンズ群Ｇ３、第４レンズ群Ｇ４及び第５レンズ群Ｇ５は光軸に沿って物体側に移動する。開口絞りＡは、第３レンズ群Ｇ３と共に物体側に移動する。
【００４３】
また、無限遠合焦状態から近接合焦状態へのフォーカシングに際して、第２レンズ群Ｇ２が光軸に沿って物体側に移動する。
【００４４】
更に、系全体に加わる振動に起因する像ぶれを補正するために、第４レンズ群Ｇ４を分割したサブレンズ群Ｇ４ｂが光軸と直交する方向に移動する。
【００４５】
（実施の形態４）
実施の形態４に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、正のパワーを有する第７レンズ群Ｇ７とを備える。
【００４６】
第１レンズ群Ｇ１は、物体側から像側へと順に、両凸形状の第１レンズ素子Ｌ１と、像側に凸面を向けた負メニスカス形状の第２レンズ素子Ｌ２と、物体側に凸面を向けた正メニスカス形状の第３レンズ素子Ｌ３とからなる。第３レンズ素子Ｌ３は、物体側面に複合型回折構造Ｐが設けられた回折光学素子である。
【００４７】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子と第６レンズ素子Ｌ６とは、互いに接合されている。
【００４８】
第３レンズ群Ｇ３は、物体側から像側へと順に、両凸形状の第７レンズ素子Ｌ７と、像側に凸面を向けた負メニスカス形状の第８レンズ素子Ｌ８とからなる。第７レンズ素子Ｌ７の物体側面は非球面である。
【００４９】
第４レンズ群Ｇ４は、像側に凸面を向けた負メニスカス形状の第９レンズ素子Ｌ９からなる。
【００５０】
第５レンズ群Ｇ５は、物体側から像側へと順に、両凸形状の第１０レンズ素子Ｌ１０と、物体側に凸面を向けた負メニスカス形状の第１１レンズ素子Ｌ１１と、両凸形状の第１２レンズ素子Ｌ１２と、物体側に凸面を向けた正メニスカス形状の第１３レンズ素子Ｌ１３とからなる。
【００５１】
第６レンズ群Ｇ６は、物体側から像側へと順に、物体側に凸面を向けた負メニスカス形状の第１４レンズ素子Ｌ１４と、像側に凸面を向けた正メニスカス形状の第１５レンズ素子Ｌ１５と、両凹形状の第１６レンズ素子Ｌ１６とからなる。第１５レンズ素子Ｌ１５と第１６レンズ素子Ｌ１６とは、互いに接合されている。
【００５２】
第７レンズ群Ｇ７は、両凸形状の第１７レンズ素子Ｌ１７からなる。
【００５３】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で長く、第３レンズ群Ｇ３と第４レンズ群Ｇ４との空気間隔が広角端より望遠端で長く、第４レンズ群Ｇ４と第５レンズ群Ｇ５との空気間隔が広角端より望遠端で短く、第５レンズ群Ｇ５と第６レンズ群Ｇ６との空気間隔が広角端より望遠端で短く、第６レンズ群Ｇ６と第７レンズ群Ｇ７の空気間隔が広角端より望遠端で長くなるように、複数のレンズ群が光軸に沿って移動する。より詳細には、広角端から望遠端へのズーミングに際して、第１レンズ群Ｇ１は光軸に沿って物体側に移動し、第２レンズ群Ｇ２及び第３レンズ群Ｇ３はほぼ移動せず、第４レンズ群Ｇ４は光軸に沿って像側に移動し、第５レンズ群Ｇ５はほぼ移動せず、第６レンズ群Ｇ６は光軸に沿って物体側に移動し、第７レンズ群Ｇ７はほぼ移動しない。開口絞りＡは、第３レンズ群Ｇ３と共に光軸に沿って移動する。
【００５４】
また、無限遠合焦状態から近接合焦状態へのフォーカシングに際して、第６レンズ群Ｇ６が光軸に沿って像側へと移動する。
【００５５】
更に、系全体に加わる振動に起因する像ぶれを補正するために、第２レンズ群Ｇ２が光軸と直交する方向に移動する。
【００５６】
（実施の形態５）
実施の形態５に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、正のパワーを有する第７レンズ群Ｇ７とを備える。
【００５７】
第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、両凸形状の第３レンズ素子Ｌ３とからなる。第３レンズ素子Ｌ３は、像側面に複合型回折構造Ｐが設けられた回折光学素子である。
【００５８】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子Ｌ５と第６レンズ素子Ｌ６とは、互いに接合されている。
【００５９】
第３レンズ群Ｇ３は、物体側から像側へと順に、両凸形状の第７レンズ素子Ｌ７と、像側に凸面を向けた負メニスカス形状の第８レンズ素子Ｌ８とからなる。第７レンズ素子Ｌ７の物体側面は非球面である。
【００６０】
第４レンズ群Ｇ４は、像側に凸面を向けた負メニスカス形状の第９レンズ素子Ｌ９からなる。
【００６１】
第５レンズ群Ｇ５は、物体側から像側へと順に、両凸形状の第１０レンズ素子Ｌ１０と、物体側に凸面を向けた負メニスカス形状の第１１レンズ素子Ｌ１１と、両凸形状の第１２レンズ素子Ｌ１２と、物体側に凸面を向けた正メニスカス形状の第１３レンズ素子Ｌ１３とからなる。
【００６２】
第６レンズ群Ｇ６は、物体側から像側へと順に、物体側に凸面を向けた負メニスカス形状の第１４レンズ素子Ｌ１４と、両凸形状の第１５レンズ素子Ｌ１５と、両凹形状の第１６レンズ素子Ｌ１６とからなる。第１５レンズ素子Ｌ１５と第１６レンズ素子Ｌ１６とは、互いに接合されている。
【００６３】
第７レンズ群Ｇ７は、物体側に凸面を向けた正メニスカス形状の第１７レンズ素子Ｌ１７からなる。
【００６４】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で短く、第３レンズ群Ｇ３と第４レンズ群Ｇ４との空気間隔が広角端より望遠端で長く、第４レンズ群Ｇ４と第５レンズ群Ｇ５との空気間隔が広角端より望遠端で短く、第５レンズ群Ｇ５と第６レンズ群Ｇ６との空気間隔が広角端より望遠端で短く、第６レンズ群Ｇ６と第７レンズ群Ｇ７との空気間隔が広角端より望遠端で長くなるように、複数のレンズ群が光軸に沿って移動する。より詳細には、広角端から望遠端へのズーミングに際して、第１レンズ群Ｇ１が光軸に沿って物体側に移動し、第２レンズ群Ｇ２及び第３レンズ群Ｇ３はほぼ移動せず、第４レンズ群Ｇ４は光軸に沿って像側に移動し、第５レンズ群Ｇ５はほぼ移動せず、第６レンズ群Ｇ６は光軸に沿って物体側に移動し、第７レンズ群Ｇ７はほぼ移動しない。開口絞りＡは、第３レンズ群Ｇ３と共に光軸に沿って移動する。
【００６５】
また、無限遠合焦状態から近接合焦状態へのフォーカシングに際して、第６レンズ群Ｇ６が光軸に沿って像側へ移動する。
【００６６】
更に、系全体に加わる振動に起因する像ぶれを補正するために、第２レンズ群Ｇ２が光軸と直交する方向に移動する。
【００６７】
（実施の形態６）
実施の形態６に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、正のパワーを有する第７レンズ群Ｇ７とを備える。
【００６８】
第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第１レンズ素子Ｌ１は、像側面に複合型回折構造Ｐが設けられた回折光学素子である。また、第２レンズ素子Ｌ２と第３レンズ素子Ｌ３とは、互いに接合されている。
【００６９】
第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。第５レンズ素子Ｌ５と第６レンズ素子Ｌ６とは、互いに接合されている。
【００７０】
第３レンズ群Ｇ３は、物体側から像側へと順に、両凸形状の第７レンズ素子Ｌ７と、像側に凸面を向けた負メニスカス形状の第８レンズ素子Ｌ８とからなる。
【００７１】
第４レンズ群Ｇ４は、像側に凸面を向けた負メニスカス形状の第９レンズ素子Ｌ９からなる。
【００７２】
第５レンズ群Ｇ５は、物体側から像側へと順に、両凸形状の第１０レンズ素子Ｌ１０と、物体側に凸面を向けた負メニスカス形状の第１１レンズ素子Ｌ１１と、両凸形状の第１２レンズ素子１２と、物体側に凸面を向けた正メニスカス形状の第１３レンズ素子Ｌ１３とからなる。第１１レンズ素子Ｌ１１と第１２レンズ素子Ｌ１２とは、互いに接合されている。
【００７３】
第６レンズ群Ｇ６は、物体側から像側へと順に、物体側に凸面を向けた負メニスカス形状の第１４レンズ素子Ｌ１４と、像側に凸面を向けた正メニスカス形状の第１５レンズ素子Ｌ１５と、両凹形状の第１６レンズ素子Ｌ１６とからなる。第１５レンズ素子Ｌ１５と第１６レンズ素子Ｌ１６とは、互いに接合されている。
【００７４】
第７レンズ群Ｇ７は、両凸形状の第１７レンズ素子からなる。
【００７５】
ズーミングに際して、第１レンズ群Ｇ１と第２レンズ群Ｇ２との空気間隔が広角端より望遠端で長く、第２レンズ群Ｇ２と第３レンズ群Ｇ３との空気間隔が広角端より望遠端で短く、第３レンズ群Ｇ３と第４レンズ群Ｇ４との空気間隔が広角端から望遠端で長く、第４レンズ群Ｇ４と第５レンズ群Ｇ５との空気間隔が広角端より望遠端で短く、第５レンズ群Ｇ５と第６レンズ群Ｇ６との空気間隔が広角端より望遠端で短く、第６レンズ群Ｇ６と第７レンズ群Ｇ７との空気間隔が広角端より望遠端で長くなるように、複数のレンズ群が光軸に沿って移動する。より詳細には、広角端から望遠端へのズーミングに際して、第１レンズ群Ｇ１は光軸に沿って物体側に移動し、第２レンズ群Ｇ２はほぼ移動せず、第３レンズ群Ｇ３、第４レンズ群Ｇ４、第５レンズ群Ｇ５及び第６レンズ群Ｇ６は光軸に沿って物体側に移動し、第７レンズ群Ｇ７はほぼ移動しない。開口絞りＡは、第３レンズ群Ｇ３と共に光軸に沿って移動する。
【００７６】
また、無限遠合焦状態から近接合焦状態へのフォーカシングに際して、第６レンズ群Ｇ６が光軸に沿って像側に移動する。
【００７７】
更に、系全体に加わる振動に起因する像ぶれを補正するために、第２レンズ群Ｇ２が光軸と直交する方向に移動する。
【００７８】
図１９は、複合型回折光学素子の断面構造の一部を示す模式図である。
【００７９】
各実施の形態に係る回折光学素子は、図１９に示されるように、同心円状の一対の回折格子を組み合わせた回折光構造をもつ複合型回折光学素子である。回折光学素子の構成は、図１９（ａ）に示すように、回折レンズ素子２ａの回折面に回折素子３ａが密着して設けられた密着型、または、図１９（ｂ）に示すように回折レンズ素子２ｂとは分離して回折素子３ｂが設けられた分離型のいずれであっても良い。
【００８０】
これらの複合型回折光学素子を用いた場合、可視光の広い波長領域において９０％以上の高い回折効率が得られる。また、密着型回折光学素子を採用する場合、モールド成形可能なガラス組成物と紫外線硬化性樹脂とを組み合わせることが、量産性の向上を図る上で好ましい。
【００８１】
ここで、各実施の形態に係るズームレンズを構成する複数のレンズ素子のうち、第１レンズ群に含まれる正レンズ素子は、以下の条件（１）及び（２）を同時に満足する硝材よりなる。
２５＜（ｆT／Ｈmax）×Ｎave＜５０  ・・・（１）
（ただし、Ｎave＝Σ（Ｎi×φi）／Σφi）
０．０８＜１Ｇtotal／ＬＤＴW＜０．１５    ・・・（２）
ここで、
ｆT：望遠端におけるズームレンズ全系の焦点距離、
Ｈmax：最大像高、
Ｎave：第１レンズ群を構成する正レンズ素子の屈折率の加重平均値
Ｎi：第１レンズ群を構成するｉ番目の正レンズ素子の屈折率、
φi：第１レンズ群を構成するｉ番目の正レンズ素子のパワー、
（ただし、正レンズ素子が回折レンズ素子の場合には、回折成分を除いたパワーとする）
ＬＤＴW：広角端におけるレンズ第１面からレンズ最終面までの総厚、
１Ｇtotal：レンズ第１面から第１レンズ群を構成するレンズの最終面までの総厚
である。
【００８２】
条件（１）は、望遠端における焦点距離と、第１レンズ群に含まれる正レンズ素子の屈折率の加重平均値（正レンズ素子のパワーで加重）を規定する。条件（１）の上限を超えると、焦点距離がより望遠側となり、光学系全体のコンパクト化には適さなくなる。一方、条件（１）の下限を下回ると、第１レンズ群内の正レンズ素子の屈折率が低くなり、光学系のコンパクト化及び性能維持が困難となる。
【００８３】
また、条件（２）は、第１レンズ群のレンズ総厚とズームレンズ系のレンズ総厚との比を規定する。条件（２）の上限を超えると、第１レンズ群の総厚が大きくなり、光学系全体のコンパクト化が困難となる。一方、条件（２）の下限を下回ると、第１レンズ群を構成するレンズ枚数が少なくなり、収差補正上好ましくない。
【００８４】
あるいは、第１レンズ群に含まれる正レンズ素子は、次の条件（２）及び（３）を同時に満足する。
０．０８＜１Ｇtotal／ＬＤＴW＜０．１５    ・・・（２）
０．２５＜（ｆT／Ｈmax）×（１／ｖｄave）＜１    ・・・（３）
（ただし、ｖｄave＝Σ（ｖｄi×φi）／Σφi）
ここで、
ＬＤＴW：広角端におけるレンズ第１面からレンズ最終面までの総厚、
１Ｇtotal：レンズ第１面から第１レンズ群を構成するレンズの最終面までの総厚、
ｆT：望遠端におけるズームレンズ全系の焦点距離、
Ｈmax：最大像高、
ｖｄave：第１レンズ群を構成する正レンズ素子のアッベ数の加重平均値
ｖｄi：第１レンズ群を構成するｉ番目の正レンズ素子の屈折率、
Φi：第１レンズ群を構成するｉ番目の正レンズ素子のパワー
である。
【００８５】
条件（２）は、第１レンズ群のレンズ総厚とズームレンズ系のレンズ総厚との比を規定する。条件（２）の上限を超えると、第１レンズ群の総厚が大きくなり、光学系全体のコンパクト化が困難となる。一方、条件（２）の下限を下回ると、第１レンズ群を構成するレンズ枚数が少なくなり、収差補正上好ましくない。
【００８６】
また、条件（３）は、望遠端における焦点距離と、第１レンズ群に含まれる正レンズ素子のアッベ数の加重平均値（正レンズ素子のパワーで加重）との関係を規定する。条件（３）の上限を超えると、焦点距離が望遠側となり、光学系全体のコンパクト化には適さなくなる。一方、条件（３）を下回ると、第１レンズ群を構成する正レンズ素子のアッベ数が大きくなるため、正レンズ素子と対となる負レンズ素子の屈折率も低下し、コンパクト化と光学性能の維持とが困難になる。
【００８７】
各実施の形態に係るズームレンズ系は、以下の条件を満足することが好ましい。
１＜ＬＤＴW／ｆW＜６    ・・・（４）
ここで、
ＬＤＴW：広角端におけるレンズ第１面からレンズ最終面までの総厚、
ｆW：広角端におけるズームレンズ全系の焦点距離
である。
【００８８】
条件（４）は、広角端におけるレンズ総厚と広角端における焦点距離との比を規定する。条件（４）の上限を超えると、光学系全体のコンパクトが困難となる。一方、条件（４）の下限を下回ると、光学性能の維持が困難になると共に、製造の難易度が増すので好ましくない。
【００８９】
各実施の形態に係るズームレンズ系は、以下の条件を満足することが好ましい。
０．２０＜（ｆW／Ｈmax）＜０．２７    ・・・（５）
ここで、
ｆW：広角端におけるズームレンズ全系の焦点距離、
Ｈmax：最大像高
である。
【００９０】
条件（５）の上限を超えると、光学性能の維持が困難になると共に、製造の難易度が増すので好ましくない。一方、条件（５）の下限を下回ると光学系のコンパクト化に適さなくなる。
【００９１】
以上説明したように、本発明に係るズームレンズ系では、第１レンズ群内の正レンズ素子を高屈折率の硝材で構成していることにより、光学性能を維持しつつ光学系全体をコンパクト化することが可能となる。
【００９２】
尚、上記の各実施形態では、第１レンズ群に回折レンズ素子を設けた構成を示したが、他のレンズ素子の構成は特に限定されない。入射光線を屈折により変更させる屈折型レンズ素子（つまり、異なる屈折率を有する媒質同士の界面で偏向が行われるタイプのレンズ）のみで構成しても良いし、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類または複数種類を用いて各レンズ群を構成しても良い。
【００９３】
（実施の形態７）
図２０は、実施の形態７に係るカメラシステムのブロック図である。
【００９４】
本実施の形態に係るカメラシステム１００は、カメラ本体１０１と、カメラ本体１０１に着脱自在に接続される交換レンズ装置２０１とを備える。
【００９５】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、上記の実施の形態１〜６のいずれかに係るズームレンズ系２０２と、ズームレンズ系２０２を保持する鏡筒と、カメラ本体のカメラマウント部１０４に接続されるレンズマウント部２０４とを含む。カメラマウント部１０４及びレンズマウント部２０４は、物理的な接続のみならず、カメラ本体内１０１のコントローラ（図示せず）と交換レンズ装置２０１内のコントローラ（図示せず）とを電気的に接続し、相互の信号のやり取りを可能とするインターフェースとしても機能する。
【００９６】
本実施の形態に係る交換レンズ装置２０１は、実施の形態１〜６のいずれかに係るズームレンズ系２０２を備えているので、カメラシステム１００をコンパクトに構成することが可能となる。
【実施例】
【００９７】
以下、実施の形態１〜６に係るズームレンズ系を具体的に実施した数値実施例を説明する。後述するように、数値実施例１〜６は、それぞれ実施の形態１〜６に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【００９８】
また、以下の数値実施例において、＊印を付した面は非球面であり、非球面形状は次式で定義している。
【数１】
2011090099.tif 000003
ただし、
Ｚ：光軸からの高さがｈの非球面上の点から、非球面頂点の接平面までの距離
ｈ：光軸からの高さ
ｒ：頂点曲率半径
κ：円錐定数
Ａｎ：ｎ次の非球面係数
である。
【００９９】
各数値実施例において、回折面形状は次式で定義している。
【数２】
2011090099.tif 000004
ただし、
λ0：基準波長（ｄ線）、
Ｃ1、Ｃ2、Ｃ3、・・・、Ｃn：位相係数
Ｒ：光軸からの距離
である。
【０１００】
図２、５、８、１１、１４、１７は、それぞれ数値実施例１、２、３、４、５、６に係るズームレンズ系の無限遠合焦状態の縦収差図である。
【０１０１】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０２】
図３、６、９、１２、１５、１８は、それぞれ数値実施例１、２、３、４、５、６に係るズームレンズ系の像ぶれ補正を行っていない基本状態及び像ぶれ補正状態での横収差図である。
【０１０３】
各横収差図において、上段３つの収差図は、望遠端における像ぶれ補正を行っていない基本状態、下段３つの収差図は、像ぶれ補正用のレンズ群を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸を含む平面としている。
【０１０４】
尚、各数値実施例のズームレンズ系について、望遠端における、像ぶれ補正状態での補正レンズ群の光軸と垂直な方向への移動量（ＹT（ｍｍ））は、以下に示す通りである。
【０１０５】
表１  （補正レンズ群の移動量）
【表１】
2011090099.tif 000005
【０１０６】
（数値実施例１）
数値実施例１のズームレンズ系は、図１に示した実施の形態１に対応する。数値実施例１のズームレンズ系の面データを表２に、回折面データを表３に、各種データを表４に、単レンズデータを表５に、ズームレンズ群データを表６に、ズームレンズ群倍率を表７に示す。
【０１０７】
表２  （面データ）
面番号         r           d           nd         vd
物面             ∞
1         86.80320     1.30000     1.92286    20.9 
2         57.81100     0.32770 
3         60.48400     5.34000     1.49700    81.6 
4       -101.17470     0.23000 
5         34.27280     0.10000     1.71154    19.5 
6         34.27280     2.20580     1.80359    40.8 
7         44.75690        可変
8        -43.57110     0.82160     1.88300    40.8 
9         23.37050     0.78370 
10         27.17770     2.63900     1.84666    23.8 
11       -363.37690        可変
12        -33.23470     1.65040     1.92286    20.9 
13        -22.66930     0.30750 
14        -27.35900     0.80000     1.88300    40.8 
15        377.81990     2.00300 
16(絞り)           ∞        可変
17       3299.80460     2.32480     1.49700    81.6 
18        -34.62650     1.05510 
19         51.78680     2.89580     1.51823    59.0 
20        -39.12040     0.22980 
21         25.91750     3.64590     1.62012    49.8 
22        -32.07450     0.81220     1.92286    20.9 
23       3550.90340        可変
24         74.02110     0.81110     1.88300    40.8 
25         17.07990        可変
26         36.91480     3.15050     1.75520    27.5 
27        -19.69100     0.20180 
28        -21.97200     0.81850     1.88300    40.8 
29         44.64660      BF 
像面             ∞
【０１０８】
表３  （回折面データ）
第6面(位相係数)
C1=-6.60089e-005, C2= 1.75795e-008, C3= 9.95716e-011
C4=-1.08939e-013, C5=-2.66209e-016
【０１０９】
表４  （各種データ）
ズーム比     4.06566
広角      中間      望遠
焦点距離      46.3806   94.1124  188.5677
Ｆナンバー     3.98986   4.65575   5.66031
画角        13.3631    6.3982    3.2157
像高        10.8150   10.8150   10.8150
レンズ全長    100.5846  115.4556  136.6800
ＢＦ       22.47374  30.99618  50.72415
d7           6.8182   27.6077   37.1804 
d11         10.2544    3.6793    6.1271 
d16         10.8941    7.9088    1.4926 
d23         11.5592    7.2698    1.2344 
d25          4.1308    3.5396    5.4671 
入射瞳位置     34.1887   89.2916  172.9828
射出瞳位置    -22.3257  -18.8942  -14.4096
前側主点位置   32.5516    5.8720 -184.3687
後側主点位置   54.2040   21.3432  -51.8878
【０１１０】
表５  （単レンズデータ）
レンズ     始面     焦点距離
1         1     -191.6803
2         3       77.0103
3         5          ∞
回折面        7574.7484
4         6      166.4674
5         8      -17.1284
6        10       29.9588
7        12       71.8806
8        14      -28.8653
9        17       68.9639
10        19       43.4757
11        21       23.6857
12        22      -34.4407
13        24      -25.3142
14        26       17.4209
15        28      -16.5808
【０１１１】
表６  （ズームレンズ群データ）
群   始面    焦点距離  レンズ構成長    前側主点位置  後側主点位置
1      1    71.29294     9.50350         1.94549       5.41760
2      8   -43.50367     4.24430        -1.22044       0.28203
3     12   -46.73900     4.76090         0.28195       1.46673
4     17    19.49396    10.96360         3.01725       6.57741
5     24   -25.31420     0.81110         0.56372       0.94117
6     26  2005.69361     4.17080      -117.83668    -109.41485
【０１１２】
表７  （ズームレンズ群倍率）
群   始面    広角       中間       望遠
1      1    0.00000    0.00000    0.00000
2      8   -2.40277   16.20917    3.54941
3     12    0.22334   -0.07700   -0.86878
4     17   -0.57315   -0.43258   -0.25767
5     24    2.26905    2.63492    3.62587
6     26    0.93216    0.92791    0.91808
【０１１３】
（数値実施例２）
数値実施例２のズームレンズ系は、図４に示した実施の形態２に対応する。数値実施例２のズームレンズ系の面データを表８に、回折面データを表９に、各種データを表１０に、単レンズデータを表１１に、ズームレンズ群データを表１２に、ズームレンズ群倍率を表１３に示す。
【０１１４】
表８  （面データ）
面番号         r           d           nd         vd
物面             ∞
1         62.30960     1.30000     1.92286    20.9 
2         47.24110     0.30130 
3         48.57230     6.00000     1.49700    81.6 
4       -177.94990     0.20000 
5         75.14960     0.10000     1.71154    19.5 
6         75.14960     2.91110     1.80359    40.8 
7        140.38490        可変
8        -31.50710     0.80000     1.83481    42.7 
9         46.20320     0.61200 
10        202.03080     2.32800     1.84666    23.8 
11        -39.17420        可変
12        -39.30650     1.72550     1.92286    20.9 
13        -24.40370     0.21380 
14        -27.61110     0.80000     1.88300    40.8 
15        233.42390     2.00000 
16(絞り)           ∞        可変
17        124.08120     5.31070     1.49700    81.6 
18        -31.45490     0.26200 
19         47.54650     2.66290     1.49700    81.6 
20        -53.42320     0.20520 
21         30.29160     3.20140     1.60323    42.5 
22        -36.39570     0.80420     1.92286    20.9 
23        363.83440        可変
24        155.63080     0.80390     1.88300    40.8 
25         15.31050     3.50090 
26         19.00310     3.68250     1.72825    28.3 
27        -32.99750     0.24710 
28        -58.03210     0.80620     1.88300    40.8 
29         24.21160      BF 
像面             ∞
【０１１５】
表９  （各種データ）
ズーム比     4.12516
広角      中間      望遠
焦点距離      46.8987   95.6482  193.4648
Ｆナンバー     4.09077   4.59784   5.85625
画角        13.1950    6.3068    3.1314
像高        10.8150   10.8150   10.8150
レンズ全長     99.0522  121.5093  146.7518
ＢＦ       20.90562  33.77373  57.40740
d7           2.5276   25.4726   38.5582 
d11          9.5246    3.1185    2.1836 
d16         11.7315   10.4419    6.8953 
d23         13.5842    7.9239    0.9286 
入射瞳位置     26.6519   76.9164  152.0171
射出瞳位置    -22.8345  -21.4073  -17.5031
前側主点位置   23.2652    6.7724 -154.1625
後側主点位置   52.1535   25.8611  -46.7130
【０１１６】
表１０  （回折面データ）
第6面(位相係数)
C1=-6.86311e-005, C2= 1.62306e-008, C3= 6.74475e-011
C4=-2.42038e-013, C5= 2.78988e-016
【０１１７】
表１１  （単レンズデータ）
レンズ     始面     焦点距離
1         1     -220.8179
2         3       77.4565
回折面        7285.3244
3         5          ∞
4         6      197.3239
5         8      -22.3349
6        10       38.9266
7        12       66.0739
8        14      -27.9220
9        17       51.0693
10        19       51.0650
11        21       27.9101
12        22      -35.8170
13        24      -19.2829
14        26       17.0676
15        28      -19.2591
【０１１８】
表１２  （ズームレンズ群データ）
群   始面    焦点距離  レンズ構成長    前側主点位置  後側主点位置
1      1    74.41757    10.81240         2.12080       6.03667
2      8   -59.30162     3.74000        -2.76521      -1.59167
3     12   -46.96185     4.73930         0.33592       1.55436
4     17    20.96318    12.44640         3.69572       7.95073
5     24   -23.95882     9.04060         1.60773       4.54083
【０１１９】
表１３  （ズームレンズ群倍率）
群   始面    広角       中間       望遠
1      1    0.00000    0.00000    0.00000
2      8   -5.60622    4.79508    2.32987
3     12    0.10346   -0.27738   -1.95265
4     17   -0.52735   -0.37203   -0.15945
5     24    2.06038    2.59747    3.58390
【０１２０】
（数値実施例３）
数値実施例３のズームレンズ系は、図７に示した実施の形態３に対応する。数値実施例３のズームレンズ系の面データを表１４に、回折面データを表１５に、各種データを表１６に、単レンズデータを表１７に、ズームレンズ群データを表１８に、ズームレンズ群倍率を表１９に示す。
【０１２１】
表１４  （面データ）
面番号         r           d           nd         vd
物面             ∞
1        132.03100     1.29410     1.85119    23.8 
2         69.95730     3.37040     1.71056    54.9 
3        649.38900     0.10000     1.63438    23.7 
4        649.38900     0.20000 
5        106.78060     2.89120     1.58618    63.9 
6      -3138.70550        可変
7       -159.17620     0.80000     1.67692    55.6 
8         17.90880     2.38470     1.94530    18.1 
9         30.35540     1.99400 
10        -37.21820     0.80000     1.87664    41.1 
11        415.43220        可変
12(絞り)           ∞     1.00000
13         41.92700     3.35430     1.54251    72.5 
14        -44.26570     0.20000 
15         30.90960     4.29360     1.50184    80.5 
16        -25.31970     0.20320 
17        -25.03260     0.80000     1.87426    32.2 
18       -385.47300     0.68350 
19         25.35320     2.55380     1.50930    69.9 
20         94.22020        可変
21         44.85910     3.01160     1.52516    58.3 
22        -29.35750     1.07800 
23        -30.91540     0.80200     1.88831    36.6 
24       -107.39000     2.03450 
25         91.94810     2.24340     1.81214    21.0 
26        -35.19080     0.80000     1.87906    41.0 
27         17.99920        可変
28         20.98630     2.72740     1.58539    38.4 
29       -340.92380     3.56420 
30        -11.75840     1.33030     1.71171    54.9 
31        -23.55860      BF 
像面             ∞
【０１２２】
表１５  （回折面データ）
第3面(位相係数)
C1=-4.01578e-005, C2= 5.53973e-008, C3= -3.22467e-010
C4= 7.37166e-013, C5=-5.15076e-016
【０１２３】
表１６  （各種データ）
ズーム比     4.18290
広角      中間      望遠
焦点距離      46.3617   94.8419  193.9267
Ｆナンバー     4.10025   5.05950   5.79637
画角        13.1463    6.3933    3.1289
像高        10.8150   10.8150   10.8150
レンズ全長     98.7715  129.0463  148.5253
ＢＦ       21.03976  30.13054  36.58684
d6           4.0011   32.4285   53.9500 
d11         16.7692   10.2812    1.9997 
d20          9.2527    9.6995    9.7332 
d27          3.1945    1.9924    1.7414 
入射瞳位置     26.1173   81.0084  148.0103
射出瞳位置    -19.2305  -18.2708  -18.0562
前側主点位置   19.1045   -9.9913 -346.3041
後側主点位置   52.4097   34.2044  -45.4014
【０１２４】
表１７  （単レンズデータ）
レンズ     始面     焦点距離
1         1     -176.5054
2         2      110.0747
回折面       12450.8769
3         3          ∞
4         5      176.2281
5         7      -23.7376
6         8       42.2689
7        10      -38.9325
8        13       40.2411
9        15       28.4609
10        17      -30.6531
11        19       67.2657
12        21       34.2681
13        23      -49.1139
14        25       31.5870
15        26      -13.4521
16        28       33.8657
17        30      -34.6065
【０１２５】
表１８  （ズームレンズ群データ）
群   始面    焦点距離  レンズ構成長    前側主点位置  後側主点位置
1      1   110.64251     7.85570         1.41821       4.49555
2      7   -21.51835     5.97870         3.09043       4.95356
3     12    23.67020    13.08840         2.91230       6.66592
4     21   -36.43217     9.96950        12.26245      13.78170
5     28   229.01077     7.62190       -28.86369     -23.60326
【０１２６】
表１９  （ズームレンズ群倍率）
群   始面    広角       中間       望遠
1      1    0.00000    0.00000    0.00000
2      7   -0.27352   -0.42827   -0.74915
3     12   -0.96848   -1.11219   -1.18911
4     21    2.04958    2.45822    2.79523
5     28    0.77178    0.73208    0.70389
【０１２７】
（数値実施例４）
数値実施例４のズームレンズ系は、図１０に示した実施の形態４に対応する。数値実施例４のズームレンズ系の面データを表２０に、非球面データを表２１に、回折面データを表２２に、各種データを表２３に、単レンズデータを表２４に、ズームレンズ群データを表２５に、ズームレンズ群倍率を表２６に示す。
【０１２８】
表２０  （面データ）
面番号         r           d           nd         vd
物面             ∞
1         57.41560     6.53540     1.45650    90.3 
2        -56.05790     0.59890 
3        -58.54250     0.80000     1.92286    20.9 
4       -113.18630     0.20070 
5        112.88860     0.10000     1.90317    14.9 
6        112.88860     1.74150     1.94595    18.0 
7        209.52960        可変
8         26.58020     0.80030     1.72508    54.0 
9         15.49860     2.32330 
10        -24.50150     0.84040     1.62727    62.1 
11         18.53940     2.00720     1.88586    30.4 
12        171.20030        可変
13*        23.07930     2.78170     1.56754    42.4 
14        -21.00480     1.29900 
15        -17.07260     0.80000     1.92027    23.0 
16        -30.82290     0.51700 
17(絞り)           ∞        可変
18        -13.80370     0.80000     1.72499    54.0 
19        -79.32800        可変
20        181.88840     2.43430     1.57265    67.6 
21        -22.68450     0.20000 
22         34.95610     0.80000     1.90048    29.8 
23         14.97440     0.20450 
24         15.07490     3.34690     1.49700    81.6 
25        -46.35560     0.20000 
26         24.35960     2.06990     1.77168    48.7 
27        289.56230        可変
28         27.53170     0.80000     1.88358    40.3 
29         11.80400     1.66110 
30        -69.33110     2.96680     1.76001    27.0 
31         -8.65610     0.80000     1.81629    44.9 
32         41.73850        可変
33         25.19370     4.59230     1.49700    81.6 
34        -77.91560      BF 
像面             ∞
【０１２９】
表２１  （非球面データ）
第13面
K= 0.00000E+00, A4= 1.84619E-05, A6= 7.95848E-08, A8= 5.36367E-10
【０１３０】
表２２  （回折面データ）
第6面(位相係数)
C1=-7.43339e-005, C2= 1.08727e-007, C3= 1.07466e-010
C4= 7.37166e-013, C5=-5.15076e-016
【０１３１】
表２３  （各種データ）
ズーム比     4.15659
広角      中間      望遠
焦点距離      46.4255   94.6681  192.9719
Ｆナンバー     4.09715   4.98866   5.78575
画角        12.9242    6.3016    3.1349
像高        10.8150   10.8150   10.8150
レンズ全長     83.9233  111.7070  128.7031
ＢＦ       14.92831  14.78803  14.42787
d7           0.9887   28.9145   46.2764 
d12          1.7243    0.7365    2.6459 
d17          2.5542    5.8583    7.4632 
d19          6.7656    4.4395    0.9218 
d27         12.2508    9.2069    0.9829 
d32          2.4902    5.5421   13.7638 
入射瞳位置     19.4866   89.2754  244.1825
射出瞳位置    -29.1181  -39.0994  -77.4036
前側主点位置   16.9790   17.6330   31.6492
後側主点位置   37.4978   17.0390  -64.2689
【０１３２】
表２４  （単レンズデータ）
レンズ     始面     焦点距離
1         1       63.2763
2         3     -132.3278
回折面        6713.6137
3         5          ∞
4         6      256.4959
5         8      -52.8748
6        10      -16.6991
7        11       23.3256
8        13       19.8288
9        15      -42.7787
10        18      -23.1699
11        20       35.3741
12        22      -29.6539
13        24       23.3101
14        26       34.3496
15        28      -23.9574
16        30       12.7452
17        31       -8.7205
18        33       38.8805
【０１３３】
表２５  （ズームレンズ群データ）
群   始面    焦点距離  レンズ構成長    前側主点位置  後側主点位置
1      1    80.45446     9.97650         1.63921       4.91394
2      8   -27.60131     5.97120         1.93934       3.56270
3     13    34.50685     5.39770        -0.36583       1.07964
4     18   -23.16987     0.80000        -0.09820       0.23563
5     20    15.74321     9.25560         3.38418       6.45312
6     28   -11.94882     6.22790         1.99106       4.16867
7     33    38.88050     4.59230         0.76080       2.23939
【０１３４】
表２６  （ズームレンズ群倍率）
群   始面    広角       中間       望遠
1      1    0.00000    0.00000    0.00000
2      8   -0.61524   -1.62967   64.92075
3     13   -2.49274   -0.84462    0.01923
4     18   -0.25580   -0.76206   22.94582
5     20   -0.65413   -0.47035    0.03031
6     28    4.04782    4.26544    4.85867
7     33    0.55553    0.55914    0.56840
【０１３５】
（数値実施例５）
数値実施例５のズームレンズ系は、図１３に示した実施の形態５に対応する。数値実施例５のズームレンズ系の面データを表２７に、非球面データを表２８に、回折面データを表２９に、各種データを表３０に、単レンズデータを表３１に、ズームレンズ群データを表３２に、ズームレンズ群倍率を表３３に示す。
【０１３６】
表２７  （面データ）
面番号         r           d           nd         vd
物面             ∞
1         60.66350     2.28380     1.94595    18.0 
2        103.96480     0.25420 
3         91.34820     0.81480     1.84666    23.8 
4         30.50960     0.21370 
5         30.64010     5.76900     1.69680    55.5 
6      -1200.23280     0.10000     1.62502    24.4 
7      -1200.23280        可変
8         26.00870     0.80570     1.72499    54.0 
9         15.48300     3.26270 
10        -24.28400     0.80000     1.63388    61.4 
11         17.58900     2.20880     1.86672    28.1 
12        124.38460        可変
13*        23.71700     3.09030     1.56180    44.6 
14        -20.91630     1.29440 
15        -16.63570     0.80000     1.91578    20.0 
16        -26.01760     0.33100 
17(絞り)           ∞        可変
18        -15.28110     0.80000     1.73125    53.2 
19       -110.05740        可変
20        287.01380     2.49760     1.55956    70.0 
21        -23.18680     0.20000 
22         43.16410     0.80000     1.89681    31.5 
23         16.59280     0.20360 
24         16.64380     3.50130     1.49813    80.5 
25        -41.61240     0.20000 
26         26.35270     2.17100     1.72494    54.0 
27       1984.81760        可変
28         29.71410     0.80000     1.88300    40.8 
29         14.10260     1.42820 
30        128.50240     2.67720     1.75871    27.0 
31        -11.76460     0.80000     1.82936    44.0 
32         36.06550        可変
33         21.33230     2.01670     1.52199    60.1 
34         33.46890      BF 
像面             ∞
【０１３７】
表２８  （非球面データ）
第13面
K= 0.00000E+00, A4= 8.68834E-06, A6= 7.47740E-08, A8= 1.44508E-11
【０１３８】
表２９  （回折面データ）
第6面(位相係数)
C1=-1.07205e-004, C2= 8.46047e-008, C3=-2.57305e-011
C4= 7.37166e-013, C5=-5.15076e-016
【０１３９】
表３０  （各種データ）
ズーム比     4.14155
広角      中間      望遠
焦点距離      46.4328   95.0456  192.3040
Ｆナンバー     4.11127   5.00974   5.80717
画角        13.0440    6.2994    3.1443
像高        10.8150   10.8150   10.8150
レンズ全長     89.1360  117.6902  133.8455
ＢＦ       17.71724  17.62665  17.50297
d7           1.1279   29.7734   46.0781 
d12          3.5762    1.8011    1.7394 
d17          2.5857    6.6115   10.4460 
d19          7.1120    4.8587    1.0763 
d27         11.7715    8.9190    0.9836 
d32          5.1215    7.9759   15.8951 
入射瞳位置     20.9694   92.4798  208.3195
射出瞳位置    -26.4218  -31.4339  -42.1589
前側主点位置   18.5564    3.3925 -219.2172
後側主点位置   42.7032   22.6447  -58.4585
【０１４０】
表３１  （単レンズデータ）
レンズ     始面     焦点距離
1         1      150.1249
2         3      -54.4404
3         5       42.9605
回折面        4663.9411
4         6          ∞
5         8      -54.5244
6        10      -15.9739
7        11       23.4113
8        13       20.2889
9        15      -52.5169
10        18      -24.3532
11        20       38.4515
12        22      -30.4898
13        24       24.3534
14        26       36.8236
15        28      -31.1473
16        30       14.3235
17        31      -10.6157
18        33      106.6215
【０１４１】
表３２  （ズームレンズ群データ）
群   始面    焦点距離  レンズ構成長    前側主点位置  後側主点位置
1      1    85.68722     9.43550         0.23260       4.09151
2      8   -25.49589     7.07720         2.61555       4.36277
3     13    31.61611     5.51570         0.19124       1.68141
4     18   -24.35322     0.80000        -0.07477       0.26148
5     20    16.95204     9.57350         3.67218       6.81927
6     28   -17.40833     5.70540         2.18517       4.19081
7     33   106.62153     2.01670        -2.20342      -1.44032
【０１４２】
表３３  （ズームレンズ群倍率）
群   始面    広角       中間       望遠
1      1    0.00000    0.00000    0.00000
2      8   -0.49890   -1.13525   -4.14319
3     13   -2.41683   -1.14839   -0.30354
4     18   -0.31493   -0.73354   -9.17601
5     20   -0.64228   -0.49373   -0.07178
6     28    2.77237    2.92824    3.37213
7     33    0.80141    0.80226    0.80342
【０１４３】
（数値実施例６）
数値実施例６のズームレンズ系は、図１６に示した実施の形態６に対応する。数値実施例６のズームレンズ系の面データを表３４に、回折面データを表３５に、各種データを表３６に、単レンズデータを表３７に、ズームレンズ群データを表３８に、ズームレンズ群倍率を表３９に示す。
【０１４４】
表３４  （面データ）
面番号         r           d           nd         vd
物面             ∞
1         48.33230     4.00000     1.65650    48.7 
2        176.59490     0.10000     1.60411    26.2 
3        176.59490     0.20000 
4         45.81040     1.10000     1.83400    37.3 
5         26.43010     5.50000     1.49700    81.6 
6        124.96560        可変
7         34.62940     1.07900     1.78590    43.9 
8         18.48980     3.25400 
9        -28.48370     0.80000     1.64000    60.2 
10         22.92170     1.51900     1.84666    23.8 
11        114.92740        可変
12         27.02120     2.86200     1.58913    61.3 
13        -20.01480     0.62300 
14        -20.06620     0.80000     1.90366    31.3 
15        -34.46620     0.51500 
16(絞り)           ∞        可変
17        -17.61510     0.80000     1.64000    60.2 
18        -68.08710        可変
19       1071.61020     2.60400     1.58913    61.3 
20        -34.97740     1.08200 
21         58.93620     0.80000     1.90366    31.3 
22         20.41280     3.54400     1.49700    81.6 
23        -35.45460     0.20000 
24         21.98040     1.99900     1.71300    53.9 
25         95.39160        可変
26         40.07560     0.84400     1.88300    40.8 
27         15.15050     1.94500 
28        -98.65550     2.73200     1.69895    30.0 
29        -12.37730     0.80000     1.80610    33.3 
30         54.02680        可変
31         81.47990     2.81400     1.92286    20.9 
32        -75.39240      BF 
像面             ∞
【０１４５】
表３５  （回折面データ）
第2面(位相係数)
C1=-3.67450e-005, C2=-1.69680e-009, C3=-1.28280e-010
C4= 5.24040e-013, C5=-7.51330e-016
【０１４６】
表３６  （各種データ）
ズーム比     4.19258
広角      中間      望遠
焦点距離      46.3948   94.9278  194.5142
Ｆナンバー     4.10155   5.07351   5.80970
画角        12.9012    6.3008    3.0967
像高        10.8150   10.8150   10.8150
レンズ全長     95.1093  115.7329  136.3354
ＢＦ       18.23665  18.28000  17.92049
d6           1.8512   22.5331   43.3908 
d11          5.8475    0.9941    1.5156 
d16          2.4109    4.9484    5.1978 
d18         10.3028    6.0882    1.0200 
d25         11.3498    9.5976    1.0091 
d30          2.5944   10.7755   23.7656 
入射瞳位置     26.8585   73.8305  224.7519
射出瞳位置    -33.4853  -65.7657 -232.2430
前側主点位置   31.6369   61.5395  268.0219
後側主点位置   48.7144   20.8051  -58.1788
【０１４７】
表３７  （単レンズデータ）
レンズ     始面     焦点距離
1         1      100.1258
回折面       13607.2935
2         2          ∞
3         4      -76.8940
4         5       66.2168
5         7      -52.0101
6         9      -19.7254
7        10       33.5637
8        12       19.9675
9        14      -54.5882
10        17      -37.3606
11        19       57.5450
12        21      -34.9026
13        22       26.6261
14        24       39.6095
15        26      -28.0324
16        28       19.9884
17        29      -12.4257
18        31       42.8007
【０１４８】
表３８  （ズームレンズ群データ）
群   始面    焦点距離  レンズ構成長    前側主点位置  後側主点位置
1      1    83.39991    10.90000        -2.44576       1.78624
2      7   -24.25390     6.65200         2.74936       4.29948
3     12    30.76787     4.80000         0.60445       2.01060
4     17   -37.36063     0.80000        -0.17131       0.13785
5     19    20.00783    10.22900         4.34905       7.51647
6     26   -14.25584     6.32100         2.10636       4.14844
7     31    42.80074     2.81400         0.76672       2.10456
【０１４９】
表３９  （ズームレンズ群倍率）
群   始面    広角       中間       望遠
1      1    0.00000    0.00000    0.00000
2      7   -0.53385   -0.97996   -6.23159
3     12   -2.01908   -1.45097   -0.20636
4     17   -0.73980   -1.22558    4.63564
5     19   -0.33177   -0.26950    0.13356
6     26    3.77271    4.35639    5.18734
7     31    0.55734    0.55633    0.56473
【０１５０】
以下の表４０に、各数値実施例に係るズームレンズ系における各条件の対応値を示す。
表３２  （条件の対応値：数値実施例１〜６）
【表２】
2011090099.tif 000006
【産業上の利用可能性】
【０１５１】
本発明に係るズームレンズ系は、デジタルスチルカメラ、デジタルビデオカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルスチルカメラ、デジタルビデオカメラ等の高画質が要求される撮影光学系に好適である。
【符号の説明】
【０１５２】
＊  非球面
S  像面
A  開口絞り
(＋)  正のパワーを有するレンズ群
(−)  負のパワーを有するレンズ群
P  回折構造
１ａ  回折光学素子
１ｂ  回折光学素子
２ａ  回折レンズ素子
２ｂ  回折レンズ素子
３ａ  回折素子
３ｂ  回折素子
１００  カメラシステム
１０１  カメラ本体
１０２  撮像素子
１０４  カメラマウント部
２０１  交換レンズ装置
２０２  ズームレンズ系
【図１】
2011090099.tif 000007
【図２】
2011090099.tif 000008
【図３】
2011090099.tif 000009
【図４】
2011090099.tif 000010
【図５】
2011090099.tif 000011
【図６】
2011090099.tif 000012
【図７】
2011090099.tif 000013
【図８】
2011090099.tif 000014
【図９】
2011090099.tif 000015
【図１０】
2011090099.tif 000016
【図１１】
2011090099.tif 000017
【図１２】
2011090099.tif 000018
【図１３】
2011090099.tif 000019
【図１４】
2011090099.tif 000020
【図１５】
2011090099.tif 000021
【図１６】
2011090099.tif 000022
【図１７】
2011090099.tif 000023
【図１８】
2011090099.tif 000024
【図１９】
2011090099.tif 000025
【図２０】
2011090099.tif 000026